(57)【要約】      （修正有）【課題】梱包体積を縮小可能なハンガーラックの支持アームと支持アームを備えるハンガーラックを提供する。【解決手段】支持アームは上支持アーム１１と下支持アーム１２を含む。上支持アームと下支持アームは対向する面に位置決め孔１２１と接続孔１２２を有している。上支持アームと下支持アームの位置決め孔は、位置決め部材１５によって位置決め及び接続される。これにより、上支持アームと下支持アームの接続孔が整列して接続部材装着経路が形成される。上支持アームと下支持アームの側面には、接続部材装着経路と連通する開孔１１１、１２３が設けられている。接続部材装着経路には第１接続部材１３が設置され、且つ、第１接続部材の両端がそれぞれ開孔から露出する。開孔内には第２接続部材１４が設置される。第２接続部材は第１接続部材に当接し、接続部材装着経路の延伸方向において第１接続部材を位置規制する。【選択図】図２
0003232022.tif 000002
【実用新案登録請求の範囲】
【請求項１】
上支持アームと下支持アームを含み、前記上支持アームと前記下支持アームは対向する面に位置決め孔と接続孔を有しており、
前記上支持アームと前記下支持アームの前記位置決め孔が位置決め部材によって位置決め及び接続されることで、前記上支持アームと前記下支持アームの前記接続孔が整列して接続部材装着経路が形成され、
前記上支持アームと前記下支持アームの側面には、前記接続部材装着経路と連通する開孔が設けられており、前記接続部材装着経路には第１接続部材が設置され、且つ、前記第１接続部材の両端がそれぞれ前記開孔から露出し、
前記開孔内には第２接続部材が設置され、前記第２接続部材は前記第１接続部材に当接し、前記接続部材装着経路の延伸方向において前記第１接続部材を位置規制することを特徴とするハンガーラックの支持アーム。
【請求項２】
前記第１接続部材には、両端付近の部分を径方向に内側へ窄めることで凹陥部が形成されていることを特徴とする請求項１に記載のハンガーラックの支持アーム。
【請求項３】
前記第２接続部材はスリーブと位置規制ピンを含み、
前記スリーブは、前記接続部材装着経路と連通する第１開口と、前記開孔と連通する第２開口を有しており、前記凹陥部は前記第１開口から前記スリーブ内に伸入し、前記位置規制ピンは前記第２開口から前記スリーブ内に入って前記凹陥部に位置規制するよう当接することを特徴とする請求項２に記載のハンガーラックの支持アーム。
【請求項４】
前記位置決め孔と前記接続孔はそれぞれ２つずつとすることを特徴とする請求項３に記載のハンガーラックの支持アーム。
【請求項５】
請求項１〜３のいずれか１項に記載されている２つの支持アームと、前記２つの支持アームを接続する横棒を含むことを特徴とするハンガーラック。
【請求項６】
前記横棒の両端はそれぞれ支持アームに挿接され、前記支持アームと前記横棒の間に第１ネジ装着経路が形成されており、前記第１ネジ装着経路に第１ネジを装着することで前記横棒と前記支持アームを固定接続することを特徴とする、請求項５に記載のハンガーラック。
【請求項７】
前記横棒は２つとし、それぞれ上支持アームと下支持アームに接続及び固定することを特徴とする請求項６に記載のハンガーラック。
【請求項８】
前記下支持アームは２つの支持足を含むことを特徴とする請求項６に記載のハンガーラック。
【請求項９】
更に、棚板を含み、前記棚板は２つの下支持アームの支持足の間に接続され、前記各支持足と前記棚板の間には第２ネジ装着経路がそれぞれ形成されており、前記第２ネジ装着経路に第２ネジを装着することで前記棚板と前記支持足を固定接続することを特徴とする請求項６に記載のハンガーラック。
【請求項１０】
更に、装飾プラグを含み、前記装飾プラグは前記第１ネジ装着経路及び前記第２ネジ装着経路内に装着されて、前記第１ネジ及び前記第２ネジを隠すことを特徴とする請求項９に記載のハンガーラック。
【考案の詳細な説明】
【技術分野】
【０００１】
本考案はホームグッズに関し、特にハンガーラックに関する。
【背景技術】
【０００２】
ハンガーラックは、日常生活において衣類を収納するための小型家具である。従来のハンガーラックの接続部位はネジで固定されているが、このような固定方式を用いるハンガーラックは安定性に劣る。また、ハンガーラックの各ポールの大部分は分解不可能な１本の長いポールとなっているため、梱包や運搬時に不便であり、梱包体積も大きくなりすぎる。
【考案の概要】
【考案が解決しようとする課題】
【０００３】
本考案が解決しようとする主な技術的課題は、梱包体積を縮小可能なハンガーラックの支持アームを提供することである。
【課題を解決するための手段】
【０００４】
上記の技術的課題を解決するために、本考案はハンガーラックの支持アームを提供する。当該支持アームは上支持アームと下支持アームを含む。前記上支持アームと下支持アームは対向する面に位置決め孔と接続孔を有している。
【０００５】
前記上支持アームと下支持アームの位置決め孔は、位置決め部材によって位置決め及び接続される。これにより、上支持アームと下支持アームの接続孔が整列して接続部材装着経路が形成される。
【０００６】
前記上支持アームと下支持アームの側面には、前記接続部材装着経路と連通する開孔が設けられている。前記接続部材装着経路には第１接続部材が設置され、且つ、前記第１接続部材の両端がそれぞれ前記開孔から露出する。
【０００７】
前記開孔内には第２接続部材が設置される。前記第２接続部材は第１接続部材に当接し、前記接続部材装着経路の延伸方向において第１接続部材を位置規制する。
【０００８】
好ましい実施例において、前記第１接続部材には、両端付近の部分を径方向に内側へ窄めることで凹陥部が形成されている。
【０００９】
好ましい実施例において、前記第２接続部材はスリーブと位置規制ピンを含む。
【００１０】
前記スリーブは、前記接続部材装着経路と連通する第１開口と、開孔と連通する第２開口を有している。前記凹陥部は、第１開口からスリーブ内に伸入する。また、前記位置規制ピンは第２開口からスリーブ内に入り、前記凹陥部に位置規制するよう当接する。
【００１１】
好ましい実施例において、前記位置決め孔と接続孔はそれぞれ２つとする。
【００１２】
本考案は、更に、２つの上記支持アームと、２つの支持アームを接続する横棒を含むハンガーラックを提供する。
【００１３】
好ましい実施例において、前記横棒の両端はそれぞれ支持アームに挿接される。また、支持アームと横棒の間に第１ネジ装着経路が形成されており、第１ネジ装着経路に第１ネジを装着することで横棒と支持アームを固定接続する。
【００１４】
好ましい実施例において、前記横棒は２つとし、それぞれ上支持アームと下支持アームに接続及び固定する。
【００１５】
好ましい実施例において、前記下支持アームは２つの支持足を含む。
【００１６】
好ましい実施例において、更に棚板を含む。前記棚板は２つの下支持アームの支持足の間に接続される。各支持足と棚板の間には第２ネジ装着経路がそれぞれ形成されており、第２ネジ装着経路に第２ネジを装着することで棚板と支持足を固定接続する。
【００１７】
好ましい実施例において、更に装飾プラグを含む。前記装飾プラグは第１ネジ装着経路及び第２ネジ装着経路内に装着されて、前記第１ネジ及び第２ネジを隠す。
【考案の効果】
【００１８】
従来技術と比較して、本考案の技術方案は以下の有益な効果を有する。
【００１９】
１．本考案が提供するハンガーラックは、１つの支持アームを上支持アームと下支持アームに分解することで、ハンガーラックの梱包箱に必要な長さが大幅に小さくなるため、ハンガーラックの梱包体積が縮小する。
【００２０】
２．本考案が提供するハンガーラックは、上支持アームと下支持アームを位置決め部材で位置決めしてから接続部材により接続する。そのため、上支持アームと下支持アームの接続部材による正確な接続を保証可能であり、突き合わせ部分に生じる段差が小さくなる。
【図面の簡単な説明】
【００２１】
【図１】図１は、本考案の好ましい実施例におけるハンガーラックの斜視図である。
【図２】図２は、本考案の好ましい実施例におけるハンガーラックの分解図である。
【図３】図３は、本考案の好ましい実施例における上支持アームと下支持アームの接続の拡大図である。
【図４】図４は、本考案の好ましい実施例における上支持アームと下支持アームの接続の断面図である。
【考案を実施するための形態】
【００２２】
以下に、図面と具体的実施形態により、本考案の技術方案について更に説明する。
【００２３】
図１〜図４を参照して、ハンガーラックは、２つの支持アーム１と、２つの支持アーム１の間に接続される横棒２を含む。
【００２４】
前記支持アーム１は、上支持アーム１１と下支持アーム１２を含む。前記上支持アーム１１と下支持アーム１２は、対向する面に位置決め孔１２１と接続孔１２２を有している。前記上支持アーム１１と下支持アーム１２の位置決め孔１２１は、位置決め部材１５によって位置決め及び接続される。これにより、上支持アーム１１と下支持アーム１２の接続孔１２２が整列して接続部材装着経路が形成される。本実施例において、位置決め部材１５はダボである。
【００２５】
前記上支持アーム１１と下支持アーム１２の側面には、前記接続部材装着経路と連通する開孔１１１，１２３が設けられている。前記接続部材装着経路には第１接続部材１３が設置され、且つ、前記第１接続部材１３の両端がそれぞれ前記開孔１１１，１２３から露出する。
【００２６】
前記開孔１１１，１２３内には第２接続部材１４が設置される。前記第２接続部材１４は第１接続部材１３に当接し、前記接続部材装着経路の延伸方向において第１接続部材１３を位置規制する。
【００２７】
前記ハンガーラックは、１つの支持アーム１を上支持アーム１１と下支持アーム１２に分解することで、ハンガーラックの梱包箱に必要な長さが大幅に小さくなるため、ハンガーラックの梱包体積が縮小する。且つ、上支持アーム１１と下支持アーム１２は、位置決め部材１５で位置決めしてから接続部材により接続する。そのため、上支持アーム１１と下支持アーム１２の接続部材による正確な接続を保証可能であり、突き合わせ部分に生じる段差が小さくなる。
【００２８】
第１接続部材１３に対する第２接続部材１４による位置規制及び当接を実現するために、本実施例では、前記第１接続部材１３の両端付近の部分を径方向に内側へ窄めることで凹陥部１３１を形成した構造を採用する。
【００２９】
前記第２接続部材１４は、スリーブ１４１と位置規制ピン１４２を含む。位置規制ピン１４２には、第１接続部材１３に面する部分を外側に突出させることで、凹陥部１３１と係合する外凸部が形成されている。
【００３０】
前記スリーブ１４１は、前記接続部材装着経路と連通する第１開口と、開孔１１１，１２３と連通する第２開口を有している。前記凹陥部１３１は、第１開口からスリーブ１４１内に伸入する。また、前記位置規制ピン１４２は第２開口からスリーブ１４１内に入り、外凸部が前記凹陥部１３１に位置規制するよう当接する。
【００３１】
本実施例において、前記位置決め孔１２１と接続孔１２２はそれぞれ２つずつとし、４つの孔が十字型に分布している。
【００３２】
前記横棒２の両端はそれぞれ支持アーム１に挿接される。また、支持アーム１と横棒２の間に第１ネジ装着経路が形成されており、第１ネジ装着経路に第１ネジ２１を装着することで横棒２と支持アーム１を固定接続する。第１ネジ装着経路を実現するためには、支持アーム２の側面に貫通孔を設置する必要がある。また、横棒２の両端には当該貫通孔に挿入される挿入片２２が備わっており、挿入片２２の端面に前記第１ネジ２１と組み合わされるネジ孔２３が備わっている。
【００３３】
本実施例では、ハンガーラックの構造全体の安定性を高めるために、前記横棒２を２つとし、それぞれ上支持アーム１１と下支持アーム１２に接続及び固定する。
【００３４】
また、ハンガーラックの設置の安定性を高めるために、前記下支持アーム１２は２つの支持足１２４を含む。こうすることで、ハンガーラックは全体が４つの支持足１２４によって地面に設置されるため、ハンガーラックの設置の安定性が大幅に向上する。
【００３５】
本実施例では、ハンガーラックの収納スペースを増加させるために、更に棚板３を含む。前記棚板３は２つの下支持アーム１２の支持足１２４の間に接続される。各支持足１２４と棚板３の間には第２ネジ装着経路がそれぞれ形成されており、第２ネジ装着経路に第２ネジ３１を装着することで棚板３と支持足１２４を固定接続する。ユーザは、横棒２に衣類を掛け、棚板に衣類を置くことができるため、ハンガーラックの収納スペースが増加する。
【００３６】
本実施例では、ハンガーラックの見た目の統一感を増すために、更に装飾プラグ４を含む。前記装飾プラグ４は第１ネジ装着経路及び第２ネジ装着経路内に装着されて、前記第１ネジ２１及び第２ネジを隠す。これにより、外観上は第１ネジ２１と第２ネジが装飾プラグ４によって覆い隠される。装飾プラグ４は、ハンガーラックと同じ材質を選択して作製すればよく、例えば木製のプラグとする。こうすることで、ハンガーラックの見た目の一体感が大幅に向上する。
【００３７】
以上の記載は本考案の好ましい実施例にすぎず、本考案の実施範囲はこれに限定されない。即ち、実用新案登録請求の範囲及び明細書の内容に基づき実施される等価の変形及び補足は、いずれも本考案の範囲に属する。
【図１】
0003232022.tif 000003
【図２】
0003232022.tif 000004
【図３】
0003232022.tif 000005
【図４】
0003232022.tif 000006